(57)【要約】【課題】複数の操作コードや無端状の操作コードを備えたブラインドの操作装置において、安価に、操作コードへの引っ掛かりを防止する。【解決手段】ヘッドボックス１２から袋状部材２２が吊下げられており、袋状部材２２に、複数本の操作コード１４の少なくとも端部近傍が収納可能となっている。使用時には、操作コード１４を必要分だけ取り出し、使用後は、操作コード１４の端部近傍を再び袋状部材２２内に収納する。不使用時には、袋状部材２２がヘッドボックス１２から吊下げられており、事実上１本のコードが吊下げられるのと同様となる。【選択図】  図１
2004244901.tif 000002
【特許請求の範囲】
【請求項１】
ヘッドボックス（１２）に支持された遮蔽材（１８）の操作を行うためにヘッドボックス（１２）から垂下される複数本の操作コード（１４）を備えるブラインドの操作装置において、
ヘッドボックス（１２）から袋状部材（２２）が吊下げられており、該袋状部材（２２）内に、該複数本の操作コード（１４）の少なくとも端部近傍が収納可能であることを特徴とするブラインドの操作装置。
【請求項２】
遮蔽材（３８）の操作を行うために操作部から垂下される無端状の操作コード（４６）を備えたブラインドの操作装置において、
操作部（４２）付近から袋状部材（４８）が吊下げられており、該袋状部材（４８）内に、該無端状の操作コード（４６）の少なくとも下部分が収納可能であることを特徴とするブラインドの操作装置。
【請求項３】
袋状部材（４８）外から内部の操作コード（４６）にアクセス可能であり、前記袋状部材（４８）内には、前記無端状の操作コード（４６）の最下部分が巻き掛けられるプーリ（５０）が配置され、該プーリ（５０）によって、無端状の操作コード（４６）に常時テンションが付加されることを特徴とする請求項２記載のブラインドの操作装置。
【発明の詳細な説明】
【０００１】
【発明の属する技術分野】
本発明は、ブラインドの操作装置に関し、操作コードへの引っ掛けを防止することができるブラインドの操作装置に関する。
【０００２】
【従来の技術】
従来、この種のブラインドの操作装置としては、ヘッドボックスに支持された遮蔽材の操作を行うための複数本の操作コードを備え、該操作コードの端部同士を連結具で連結したものが知られている。そして、操作コードのねじれや操作コードに物や人が引っ掛かるのを防止することができるように、連結具が軸心から複数の分割体に等分割されており、分割体を分解可能に連結して連結具として一体化させたものが知られている（特許文献１参照。）。この特許文献１に記載されたブラインドの操作装置では、各操作コードの端末を対応する分割体のコード孔に通して止着し、分割体を合体してそれにカバーを外嵌しており、操作コードに人や物が引っ掛かって一定の荷重が作用すると、自動的にカバーが連結具から外れて、分割体及びそれに止着された操作コードが互いにばらばらになるようになっている。
【０００３】
【特許文献１】
特開平８−４４５５号公報
【０００４】
【発明が解決しようとする課題】
しかしながら、特許文献１のような構成であると、操作コードの本数に応じて異なる形状の分割体が必要になり、操作コードが２本の場合、３本の場合、といった具合に、部品の種類が増え、部品在庫を抱えなければならず、製造コスト、部品管理コストが高くなるという問題がある。
【０００５】
本発明はかかる課題に鑑みなされたもので、その目的は、安価に操作コードへの引っ掛かりを防止することができるブラインドの操作装置を提供することである。
【０００６】
【課題を解決するための手段】
前述した目的を達成するために、請求項１記載の発明は、ヘッドボックスに支持された遮蔽材の操作を行うためにヘッドボックスから垂下される複数本の操作コードを備えるブラインドの操作装置において、ヘッドボックスから袋状部材が吊下げられており、該袋状部材内に、該複数本の操作コードの少なくとも端部近傍が収納可能であることを特徴とする。
【０００７】
不使用時には、袋状部材に操作コードの端部近傍を収納しておき、遮蔽材の操作をする場合には、袋状部材に収納された操作コードを必要な長さ分だけ袋状部材から取り出して、取り出した部分を掴んで操作する。操作が終了した後は、再び、操作コードを袋状部材に収納する。これにより、不使用時、複数の操作コードは個別ではなく、全体でまとめて袋状部材としてヘッドボックスから吊下げられるため、事実上１本のコードが吊下げられているのと同様となり、物や人が操作コードに引っ掛かったりすることを防止することができる。
【０００８】
請求項２記載の発明は、遮蔽材の操作を行うために操作部から垂下される無端状の操作コードを備えたブラインドの操作装置において、操作部付近から袋状部材が吊下げられており、該袋状部材内に、該無端状の操作コードの少なくとも下部分が収納可能であることを特徴とする。
【０００９】
不使用時には、袋状部材に操作コードの下部分を収納しておき、遮蔽材の操作をする場合には、袋状部材に収納された操作コードの状態で、袋状部材外から無端状の操作コードを掴んで操作する。または、袋状部材に収納された操作コードを必要な長さ分だけ袋状部材から取り出して、取り出した部分を掴んで操作する。操作が終了した後は、再び、操作コードを袋状部材に収納する。このように、無端状の操作コードは、不使用時、袋状部材内に収納されて、まとめて袋状部材として操作部から吊下げられるため、事実上１本の操作コードが吊下げられているのと同様となり、物や人が無端状の操作コードに引っ掛かったりすることを防止することができる。
【００１０】
請求項３記載の発明は、請求項２記載のものにおいて、袋状部材外から内部の操作コードにアクセス可能であり、前記袋状部材内には、前記無端状の操作コードの最下部分が巻き掛けられるプーリが配置され、該プーリによって、無端状の操作コードに常時テンションが付加されることを特徴とする。
【００１１】
プーリによって、操作コードにはテンションがかけられているために、操作コードを袋状部材から引き出す必要がなく、操作コードが袋状部材内に収納されたままで、簡単に操作コードを操作することができる。
【００１２】
【発明の実施の形態】
以下、図面を用いて本発明の実施の形態を説明する。尚、以下の実施形態は本発明を限定するものではない。
【００１３】
図１は、ブラインドとして横型ブラインドに本発明のブラインド操作装置を適用した場合の実施形態を表す正面図である。図において、ブラインド１０は、壁面または天井面等の固定部にブラケットを介して取り付けられるヘッドボックス１２を有しており、ヘッドボックス１２には、ヘッドボックス１２から垂下する複数の梯子状のラダーコード１６によって、遮蔽材を構成する多数段のスラット１８が整列状態に支持されている。ラダーコード１６の一端は、最下段のスラット１８の下方に配置されるボトムレール１９に連結される。
【００１４】
本発明のブラインドの操作装置は、ヘッドボックス１２から垂下する複数の操作コードとしての昇降コード１４を備える。各昇降コード１４の一端はボトムレール１９に連結され、他端側は各スラット１８の昇降コード挿通孔を挿通して、ヘッドボックス１２に導入された後、ヘッドボックス１２の長手方向に沿って配されて、図示しないストッパーを経てヘッドボックス１２の一端部に設けられた開口１２ａから導出される。そして、ヘッドボックス１２の開口１２ａから垂下された昇降コード１４の端部を操作することにより、スラット１８の昇降操作を行うようになっている。
【００１５】
ヘッドボックス１２の開口１２ａの周囲からは、袋状部材２２が吊下げられている。袋状部材２２は、軟質プラスチック、織物、編物または不織布等から構成することができ、軽量で柔軟なものとするとよいが、硬質プラスチック等の硬質材料から構成することも可能である。そして、袋状部材２２の外周面は、透明または不透明で模様などが付されていて、意匠性が考慮されているとよい。該袋状部材２２内には、ヘッドボックス１２から垂下された昇降コード１４の端部近傍が収納可能となっている。即ち、複数の昇降コード１４はヘッドボックス１２の開口１２ａから導出された後、連結具２０によって互いに連結され、さらに延長部１４ａとなっており、該延長部１４ａの一部が袋状部材２２に収納可能となっている。延長部１４ａの末端は、袋状部材２２に筒内または筒外で連結される。尚、連結具２０によって連結された後の延長部１４ａは、昇降コード１４と一体化されたものであってもよいが、別体のものであってもよく、または全く延長部１４ａがなく、複数の昇降コード１４のままで袋状部材２２に収納されて、それらの末端が袋状部材２２に連結されてもよい。延長部１４ａを有する場合は、延長部１４ａを含む昇降コード１４が操作コードを構成する。
【００１６】
以上のように構成されるブラインドの操作装置において、スラット１８の昇降操作をする場合には、袋状部材２２に収納された昇降コード１４の延長部１４ａを取り出す。このときに、昇降コード１４の延長部１４ａの全てを袋状部材２２から取り出す必要はない。操作するのに適当な長さ分だけ、昇降コード１４を袋状部材２２から取り出した後は、取り出した部分を下方へ若干引っ張り、ストッパーを解除する。ストッパーを解除すると、昇降コード１４が自由に移動可能となる。その状態で、取り出した昇降コード１４の部分をさらに下方へと引っ張ると、ボトムレール１９が上昇して、下段のスラット１８から順次上昇する。逆に、取り出した部分をボトムレール１９及びスラット１８の自重に従って上方へと動かすと、スラット１８は下降する。操作が終了して、ストッパーを締結させて昇降コード１４の移動を禁止させた後は、取り出した昇降コード１４の部分を再び袋状部材２２に収納する。
【００１７】
これにより、不使用時、複数の昇降コード１４はばらばらではなく、全体でまとめて袋状部材２２としてヘッドボックス１２から吊下げられるため、事実上１本のコードが吊下げられているのと同様となり、物や人が昇降コード１４に引っ掛かったりすることを防止することができる。
【００１８】
図３は、ブラインドとしてロールスクリーンに本発明のブラインド操作装置を適用した場合の実施形態を表す正面図である。図において、ブラインド３０は、窓枠等にブラケット等により取り付けられるセットフレーム３２の両端に取り付けられた一対のサイドプレート３４を有しており、一対のサイドプレート３４の間にヘッドボックスとしての巻取パイプ３６が回転可能に支持されている。巻取パイプ３６には、遮蔽材であるスクリーン３８が支持されており、スクリーン３８の上端が巻取パイプ３６に巻取り及び巻解き可能に連結される。スクリーン３８の下端には、ウエイトバー４０が連結されている。
【００１９】
本発明のブラインドの操作装置は、巻取パイプ３６の一端側に設けられた操作部４２を備える。操作部４２内には、プーリ４４が内蔵される。巻取パイプ３６に内蔵されるクラッチによって、プーリ４４の回転は巻取パイプ３６に伝達される一方で、巻取パイプ３６からの回転は伝達阻止されるようになっている。
【００２０】
操作部４２内のプーリ４４には、無端状の操作コード４６の上端が巻掛けられており、操作コード４６の下端は、操作部４２から導出されて垂下する。操作コード４６は、ボールチェーンにより構成することができる。
【００２１】
操作部４２の操作コード４６の導出付近周囲となるサイドプレート３４からは、サスペンダー４７によって袋状部材４８が吊下げられている。袋状部材４８は、袋状部材２２と同様にプラスチック、織物、編物または不織布等から構成することができ、軽量で柔軟なものとするとよいが、硬質プラスチック等の硬質材料から構成することも可能である。そして、その外周面は、透明または不透明で模様などが付されていて、意匠性が考慮されているとよい。該袋状部材４８内には、操作部４２から垂下された操作コード４６の少なくとも下部分が収納されている。
【００２２】
袋状部材４８には、その側面部に開口４８ａが形成されており、この開口４８ａを通して、袋状部材４８外から内部の操作コード４６を掴んで操作することができるようになっている。
【００２３】
好ましくは、袋状部材４８内の中に、無端状の操作コード４６の下端部が巻掛けられるプーリ５０が配置されるとよい。プーリ５０自身が錘となるが、プーリ５０の自重だけでは不足の場合には、別途、プーリ５０には錘５０ａが設けられるとよく、これにより、操作コード４６には、プーリ５０によって常にテンションが付加される。プーリ５０はボールチェーンからなる操作コード４６と噛み合う必要はないので、操作コード４６が巻掛けられた表面は、操作コード４６が円滑に滑動することができるよう凹凸のない形状とするとよい。
【００２４】
以上のように構成されるブラインドの操作装置において、スクリーン３８の昇降操作をする場合には、袋状部材４８に収納された操作コード４６の状態で、その開口４８ａから操作コード４６を操作して、無端状の操作コード４６の一方の側を下方へと引っ張ると、操作部４２内のプーリがそれに応じて回転して、巻取パイプ３６が同方向に回転して、スクリーン３８が巻取パイプ３６に巻解きまたは巻き取られて、スクリーン３８が上昇または下降する。また、操作コード４６の他方の側を下方へと引っ張ると、先と反対方向に巻取パイプ３６が回転して、スクリーン３８が下降または上昇する。
【００２５】
このように、無端状の操作コード４６は、常時、袋状部材４８内に収納されて、まとめて袋状部材４８として操作部４２から吊下げられるため、事実上１本の操作コードが吊下げられているのと同様となり、物や人が無端状の操作コード４６に引っ掛かったりすることを防止することができる。また、プーリ５０によって、操作コード４６にはテンションがかけられているために、操作コード４６を袋状部材４８から引き出すことなく、袋状部材４８内においても、簡単に操作コード４６を操作することができる。但し、任意には第１実施形態と同様に、無端状の操作コード４６を使用する時には、操作コード４６を袋状部材４８から取り出し、使用終了後は、再び袋状部材４８に収納することもできる。この場合には、プーリ５０を省略可能である。
【００２６】
以上のように、各実施形態によれば、操作コードに人や物が引っ掛かるのが防止できる。袋状部材は、操作コードの数などに関係なく共通に製造することができ、あらゆる大きさ、あらゆる種類のブラインドにも適用できる。即ち、以上の実施形態で説明したブラインドに限るものではなく、ローマンシェード、プリーツスクリーン、縦型ブラインド等の任意のブラインドの操作装置に共通する袋状部材を使用することもできる。このため、製造コスト、部品管理コストを低減することができる。
【００２７】
【発明の効果】
以上説明したように本発明によれば、複数の操作コードや無端状の操作コードを備えたブラインドの操作装置において、操作コードに人や物が引っ掛かるのが防止できる。袋状部材は、操作コードの数などに関係なく共通に製造することができるため、製造コスト、部品管理コストを低減することができる。
【図面の簡単な説明】
【図１】本発明のブラインドの操作装置を横型ブラインドに適用した場合の全体斜視図である。
【図２】図１のブラインドの操作装置の斜視図である。
【図３】本発明のブラインドの操作装置をロールスクリーンに適用した場合の全体斜視図である。
【図４】図３のブラインドの操作装置の斜視図である。
【符号の説明】
１０  ブラインド
１２  ヘッドボックス
１４  操作コード
１８  スラット（遮蔽材）
２２  袋状部材
３８  スクリーン（遮蔽材）
４６  操作コード
４８  袋状部材
５０  プーリ
【図１】
2004244901.tif 000003
【図２】
2004244901.tif 000004
【図３】
2004244901.tif 000005
【図４】
2004244901.tif 000006